(57)【要約】【課題】タラップを支持する支持台が乗りかごと干渉することを防止することができるエレベーターのピット入出装置を提供する。【解決手段】ピット入出装置１は、枠体２と、支持台３と、タラップ４と、を備えている支持台３は、枠体２に回動可能に支持される。タラップ４は、昇降路に形成されたドアシル１０３と係合する係合部３６を有している。タラップ４は、支持台３が展開状態に回動した際に、主面部３ａに載置される。係合部３６は、ドアシル１０３の下面部に当接する第１係合片３６ａと、ドアシル１０３の上面部に当接する第２係合片３６ｂとを有している。支持台は、収容状態においてドアシル１０３の先端部よりも壁面１０１ａ側に配置される。【選択図】図５
2017105603.tif 000002
【特許請求の範囲】
【請求項１】
エレベーターの乗りかごが昇降移動する昇降路の昇降方向の下部に設けられたピット部に入出するためのピット入出装置において、
前記ピット部の壁面に固定された枠体と、
前記枠体に回動可能に支持されて、主面部が前記壁面と対向する収容状態から水平方向と平行になす展開状態に展開可能な支持台と、
前記昇降路に形成されたドアシルと係合する係合部を有し、前記支持台が展開状態に回動した際に、前記主面部に載置されるタラップと、を備え、
前記係合部は、
前記ドアシルの下面部に当接する第１係合片と、前記ドアシルの上面部に当接する第２係合片とを有し、
前記支持台は、収容状態において前記ドアシルの先端部よりも前記壁面側に配置される
エレベーターのピット入出装置。
【請求項２】
前記枠体と前記支持台を連結する支持アームを備え、
前記支持アームは、
前記枠体に回動可能に支持される第１アーム部と、
前記支持台に回動可能に支持される第２アーム部と、
前記第１アーム部と前記第２アーム部を回動可能に連結するアーム回動軸と、を有する
請求項１に記載のエレベーターのピット入出装置。
【請求項３】
前記支持アームは、フック受け部を有し、
前記タラップは、
前記フック受け部に掛けられるフック部材を有し、前記支持台が収容状態の際、前記ドアシルの先端部よりも前記壁面側に配置される
請求項２に記載のエレベーターのピット入出装置。
【請求項４】
前記支持台が収容状態の際、前記タラップは、前記主面部における前記タラップが載置される面と反対側の面に当接する
請求項３に記載のエレベーターのピット入出装置。
【請求項５】
前記フック受け部は、前記支持アームにおける前記アーム回動軸が設けられた箇所に配置される
請求項３に記載のエレベーターのピット入出装置。
【請求項６】
前記支持台を展開状態から収容状態に付勢する付勢部材を備えた
請求項１に記載のエレベーターのピット入出装置。
【請求項７】
前記タラップは、
前記主面部に載置される第１部材と、
前記第１部材に回動軸を介して回動可能に連結され、前記係合部が設けられた第２部材と、を備え、
前記第２部材が前記第１部材に接近した際に、前記係合部は、前記第１部材に収容される
請求項１に記載のエレベーターのピット入出装置。
【発明の詳細な説明】
【技術分野】
【０００１】
本発明は、建築構造物に設けられたエレベーターのピットに入出するために用いられるエレベーターのピット入出装置に関するものである。
【背景技術】
【０００２】
エレベーターが設置された建築構造物には、昇降路の下部にピット部が設けられている。このピット部には、エレベーターを保守点検するための各種メンテナンス機器が設置されている。そして、このピット部に作業者が入出するためにピット入出装置がピット部に設置されている。
【０００３】
従来のピット入出装置としては、例えば、特許文献１に記載されているようなものがある。特許文献１には、乗場床から一定の深さの昇降路内の位置に、広げられたタラップを支持可能な支持台を備えた技術が記載されている。そして、特許文献１に記載された技術では、ピットの入出時には、広げたタラップを、乗場側に立て掛け、下端が支持台に係止されるように配置している。
【先行技術文献】
【特許文献】
【０００４】
【特許文献１】特開２００６−８２９３５号公報
【発明の概要】
【発明が解決しようとする課題】
【０００５】
しかしながら、特許文献１に記載された技術では、エレベーターの乗りかごの下部に設けられた機器（下部機器）と支持台が接触するおそれがあった。そのため、特許文献１に記載された技術では、乗りかごとの接触を避けるために、乗りかごの下部機器よりも昇降方向の下方に支持台を配置しなければならず、タラップの長さが長くなる、という問題を有していた。さらに、特許文献１に記載された技術では、深さが浅いピット部には、ピット入出装置を設置することができない、という問題を有していた。
【０００６】
本発明の目的は、上記の問題点を考慮し、タラップを支持する支持台が乗りかごと干渉することを防止することができるエレベーターのピット入出装置を提供することにある。
【課題を解決するための手段】
【０００７】
上記課題を解決し、本発明の目的を達成するため、本発明のエレベーターのピット入出装置は、エレベーターの乗りかごが昇降移動する昇降路の昇降方向の下部に設けられたピット部に入出するためのピット入出装置である。ピット入出装置は、枠体と、支持台と、タラップと、を備えている。枠体は、ピット部の壁面に固定される。支持台は、枠体に回動可能に支持される。また、支持台は、主面部が壁面と対向する収容状態から水平方向と平行になす展開状態に展開可能となる。タラップは、昇降路に形成されたドアシルと係合する係合部を有している。タラップは、支持台が展開状態に回動した際に、主面部に載置される。係合部は、ドアシルの下面部に当接する第１係合片と、ドアシルの上面部に当接する第２係合片とを有している。支持台は、収容状態においてドアシルの先端部よりも壁面側に配置される。
【発明の効果】
【０００８】
本発明のエレベーターのピット入出装置によれば、タラップを支持する支持台が乗りかごと干渉することを防止することができる。
【図面の簡単な説明】
【０００９】
【図１】本発明の実施の形態例にかかるピット入出装置を示す概略構成図である。
【図２】本発明の実施の形態例にかかるピット入出装置の支持台を展開させた状態を示す平面図である。
【図３】本発明の実施の形態例にかかるピット入出装置のタラップを示す正面図である。
【図４】本発明の実施の形態例にかかるピット入出装置のタラップを折り畳んだ状態を示す側面図である。
【図５】本発明の実施の形態例にかかるピット入出装置の支持台及びタラップを展開させた状態を示す側面図である。
【図６】本発明の実施の形態例にかかるピット入出装置の支持台及びタラップを展開させた状態を示す平面図である。
【図７】本発明の実施の形態例にかかるピット入出装置の支持台を展開させるための動作を示す説明図である。
【発明を実施するための形態】
【００１０】
以下、本発明のエレベーターのピット入出装置の実施の形態例について、図１〜図７を参照して説明する。なお、各図において共通の部材には、同一の符号を付している。
【００１１】
１．ピット入出装置の構成
まず、本発明の実施の形態例（以下、「本例」という。）にかかるピット入出装置の構成について、図１〜図６を参照して説明する。
図１は、本例のピット入出装置を示す概略構成図である。図２は、支持台を展開させた状態を示す平面図である。図３は、タラップを示す正面図、図４はタラップを折り畳んだ状態を示す側面図である。図５及び図６は、支持台及びタラップを展開させた状態を示す説明図である。
【００１２】
本例のピット入出装置１は、例えば、エレベーターの乗りかご１２０が昇降移動する昇降路の昇降方向に設けられたピット部１０１に作業者が入出するために用いられるものである。図１に示すように、ピット入出装置１は、枠体２と、支持台３と、タラップ４と、一対の支持アーム５、５と、を有している。
【００１３】
［枠体］
枠体２は、昇降路に形成されたドアシル１０３の昇降方向の下方に配置されている。図１及び図２に示すように、枠体２は、一対の縦板１１、１１と、支え板１２と、を有している。
【００１４】
一対の縦板１１、１１は、ピット部１０１の壁面１０１ａに、昇降方向と直交する幅方向に所定の間隔を空けて固定されている。また、縦板１１は、その長手方向が昇降方向と略平行に配置されている。
【００１５】
縦板１１の長手方向の一端部、すなわち昇降方向の上端部には、後述する支持アーム５の第１アーム部２１が第１支持軸１５を介して回動可能に取り付けられている。また、縦板１１の長手方向の他端部、すなわち昇降方向の下端部には、軸受け片１１ａが設けられている。軸受け片１１ａは、縦板１１の下端部から昇降路内に向けて略垂直に屈曲している。軸受け片１１ａには、支持台３が主回動軸１６を介して回動可能に取り付けられている。
【００１６】
支え板１２は、一対の縦板１１、１１の間に配置されている。また、支え板１２は、縦板１１の下端部に配置されて、壁面１０１ａに固定されている。支え板１２は、壁面１０１ａからピット部１０１の内部に向けて略垂直に突出し、水平方向と略平行に配置されている。支え板１２には、支持台３が載置される。
【００１７】
［支持台］
支持台３は、略平板状に形成されている。支持台３は、一対の縦板１１、１１の間に配置されている。支持台３は、主面部３ａと、縁部３ｂとを有している。主面部３ａは、矩形状に形成されている。縁部３ｂは、主面部３ａの外縁部に形成されている。縁部３ｂは、主面部３ａから略垂直に屈曲している。
【００１８】
また、主面部３ａにおける互いに対向する２つの短辺に形成された縁部３ｂは、一対の縦板１１、１１と対向する。主面部３ａの２つの短辺に形成された縁部３ｂにおける枠体２側の端部は、主回動軸１６を介して縦板１１の軸受け片１１ａに回動可能に支持されている。
【００１９】
主面部３ａの２つの短辺に形成された縁部３ｂにおいて枠体２と反対側の端部には、第２支持軸１８を介して、後述する支持アーム５の第２アーム部２２が回動可能に取り付けられている。
【００２０】
図１に示すように、ピット入出装置１を使用する前の状態において、支持台３は、その主面部３ａが壁面１０１ａと対向し、枠体２に収容されている。このとき、支持台３は、ドアシル１０３の先端部よりも壁面１０１ａ側に配置される。すなわち、支持台３は、ドアシル１０３よりもピット部１０１の内部空間側に突出していない。これにより、支持台３が収容されている状態において、エレベーターの乗りかご１２０の下端部から昇降方向の下方に向けて垂れ下がる下部機器１２１と、支持台３が接触することを防ぐことができる。
【００２１】
また、図５に示すように、支持台３が展開された状態では、支持台３は、主面部３ａが昇降方向と直交し、水平方向と略平行に配置される。そして、主面部３ａにおける壁面１０１ａ側の端部が、枠体２の支え板１２に支持される。さらに、図６に示すように、主面部３ａには、後述するタラップ４の第１部材３１が載置される。
【００２２】
［支持アーム］
図２に示すように、２つの支持アーム５、５は、一対の縦板１１、１１よりも幅方向の外側に配置されている。２つの支持アーム５、５は、枠体２と支持台３とを連結する。２つの支持アーム５、５は、それぞれ同一の構成を有している。支持アーム５は、第１アーム部２１と、第２アーム部２２と、アーム回動軸２３と、戻し機構２４と、フック受け部２５とを有している。
【００２３】
第１アーム部２１及び第２アーム部２２は、長尺の略平板状に形成されている。図１及び図２に示すように、第１アーム部２１の長手方向の一端部は、縦板１１の長手方向の一端部に第１支持軸１５を介して回動可能に支持されている。また、第１アーム部２１の長手方向の他端部は、アーム回動軸２３を介して、第２アーム部２２の長手方向の一端部に回動可能に連結されている。
【００２４】
第２アーム部２２の長手方向の他端部は、第２支持軸１８を介して支持台３の縁部３ｂに回動可能に支持されている。支持台３が収容された状態では、第１アーム部２１の長手方向の一端部と、第２アーム部２２の長手方向の他端部が接近している。そして、第１アーム部２１の長手方向の他端部、第２アーム部２２の長手方向の一端部及びアーム回動軸２３は、枠体２よりも昇降方向の上方に配置されている。
【００２５】
また、図５に示すように、支持台３が展開された状態では、第１アーム部２１の長手方向の一端部と、第２アーム部２２の長手方向の他端部が離反する方向にアーム回動軸２３が回動する。そして、第１アーム部２１及び第２アーム部２２は、その長手方向が略平行に配置されて、支持台３における壁面１０１ａと反対側の端部を支持する。
【００２６】
また、第１アーム部２１の長手方向の他端部と第２アーム部２２の長手方向の一端部の間には、戻し機構２４が設けられている。戻し機構２４は、アーム回動軸２３に取り付けられている。戻し機構２４は、例えばコイルばねにより構成されている。戻し機構２４は、支持台３が壁面１０１ａに接近する方向、すなわち支持台３が収容される方向にアーム回動軸２３、第１アーム部２１及び第２アーム部２２を付勢している。
【００２７】
さらに、第１アーム部２１の長手方向の他端部には、フック受け部２５が固定されている。フック受け部２５は、第１アーム部２１の長手方向の他端部から、２つの支持アーム５、５が対向する幅方向の内側に向けて突出している。このフック受け部２５には、後述するタラップ４のフック部材３７が掛けられる。
【００２８】
［タラップ］
図３及び図４に示すように、タラップ４は、第１部材３１と、第２部材３２と、複数の踏み板３３と、回動軸３４と、係合部３６と、フック部材３７とを有している。第１部材３１は、一対の第１縦枠３８、３８を有している。一対の第１縦枠３８、３８は、幅方向に所定の間隔を空けて互いに略平行に配置される。一対の第１縦枠３８、３８の間には、複数の踏み板３３が第１縦枠３８、３８の長手方向に所定の間隔を空けて設けられている。
【００２９】
また、一対の第１縦枠３８、３８には、それぞれフック部材３７が固定されている。フック部材３７は、一対の第１縦枠３８、３８が互いに対向する幅方向の外側に配置されている。フック部材３７は、先端部が屈曲した略Ｌ字状に形成されている。図１に示すように、フック部材３７は、支持アーム５に設けたフック受け部２５に引っ掛けられている。
【００３０】
第１縦枠３８の長手方向の一端部には、第２部材３２を構成する第２縦枠３９が回動軸３４を介して回動可能に連結されている。第２部材３２は、一対の第２縦枠３９、３９を有している。一対の第２縦枠３９、３９は、第１縦枠３８と同様に、幅方向に所定の間隔を空けて互いに略平行に配置される。一対の第２縦枠３９、３９の間には、踏み板３３が設けられている。
【００３１】
第２縦枠３９の長手方向の中途部には、係合部３６が固定されている。係合部３６は、一対の第２縦枠３９、３９が互いに対向する幅方向の内側に固定されている。係合部３６は、第１係合片３６ａと、第２係合片３６ｂとを有している。
【００３２】
図５に示すように、第１係合片３６ａは、第２係合片３６ｂよりも回動軸３４側に配置されている。第１係合片３６ａは、ドアシル１０３の下面部に当接する。第２係合片３６ｂは、ドアシル１０３の上面部に当接する。そして第１係合片３６ａと第２係合片３６ｂによってドアシル１０３を挟持することで、係合部３６は、ドアシル１０３に係合される。
【００３３】
第２縦枠３９における幅方向及び長手方向と直交する厚さ方向の長さは、第１縦枠３８における幅方向及び長手方向と直交する厚さ方向の長さよりも短く設定されている。そのため、図４に示すように、回動軸３４を介して第２部材３２を第１部材３１に接近する方向へ回動させた場合、第２縦枠３９は、第１縦枠３８によって覆われる。そのため、第２縦枠３９に固定された係合部３６は、一対の第１縦枠３８、３８の中に収容される。これにより、使用前の状態において係合部３６が、ピット部１０１内の周辺機器に接触することを防ぐことができる。
【００３４】
また、図１に示す使用前の状態において、タラップ４は、フック部材３７を介して支持アーム５のフック受け部２５に引っ掛けられている。このとき、タラップ４は、ドアシル１０３の先端部よりも壁面１０１ａ側に配置される。すなわち、タラップ４は、ドアシル１０３よりもピット部１０１の内部空間側に突出していない。これにより、タラップ４が収容されている状態において、下部機器１２１とタラップ４が接触することを防ぐことができる。
【００３５】
２．ピット入出装置の展開作業
次に、図１〜図７を参照して上述した構成を有するピット入出装置１の展開作業の一例について説明する。
図７は、ピット入出装置１の支持台３を展開させるための動作を示す説明図である。
【００３６】
図７に示すように、作業者は、タラップ４を、戻し機構２４（図２及び図６参照）の付勢力に抗して、ピット部１０１の壁面１０１ａから離反する方向に移動させる。これにより、タラップ４に設けたフック部材３７により、支持アーム５の第１アーム部２１の長手方向の他端部及び第２アーム部２２の長手方向の一端部が、壁面１０１ａから離反する方向に引き出される。
【００３７】
そして、第１アーム部２１は、第１支持軸１５を中心に回動する。また、第２アーム部２２は、アーム回動軸２３及び第２支持軸１８を支点に回動する。さらに、支持台３は、支持アーム５に付勢されて、主回動軸１６を中心に壁面１０１ａから離反する方向に回動する。
【００３８】
作業者は、さらにタラップ４を引き出し、支持台３の主面部３ａが支え板１２に当接するまで回動させる。支持台３の主面部３ａが支え板１２に当接すると、支持台３における壁面１０１ａから離反する方向への回動動作が規制される。これにより、支持台３の展開作業が終了し、図５に示すように、支持台３の主面部３ａは、水平方向と略平行に配置される。また、第１アーム部２１及び第２アーム部２２は、その長手方向が略平行に配置される。
【００３９】
次に、作業者は、回動軸３４を中心に第２部材３２を回転させて、タラップ４を展開させる。そして、作業者は、第１部材３１を支持台３の主面部３ａに載置させると共に、係合部３６をドアシル１０３に係合させる。これにより、タラップ４が支持台３とドアシル１０３に立て掛けられる。これにより、ピット入出装置１の展開作業が終了する。
【００４０】
ここで、係合部３６の第１係合片３６ａがドアシル１０３の下面部に当接し、タラップ４の下端部が支持台３に支持される。すなわち、支持台３とドアシル１０３の間に、タラップ４が配置された状態となり、支持台３における図１に示す収容状態へ戻る方向への回動が規制される。これにより、支持台３が、戻し機構２４の付勢力によって、作業者の意図に反して回動し、図１に示す収容状態に戻ることを規制することができる。
【００４１】
支持アーム５のアーム回動軸２３は、フック受け部２５を介してタラップ４のフック部材３７により昇降方向の下方に向けて付勢されている。これにより、支持アーム５における第１アーム部２１と第２アーム部２２の回動も規制される。
【００４２】
また、支持台３は、支え板１２と、一対の支持アーム５、５によって支持されている。そのため、支持台３にタラップ４を介して荷重が加わっても、図５及び図６に示す展開状態から更に回動することを防ぐことができる。
【００４３】
さらに、タラップ４の下端部は、支持台３の主面部３ａに支持されると共に、支持台３の縁部３ｂに当接する。これにより、タラップ４を支持台３とドアシル１０３に立て掛けた際や、タラップ４を作業者が昇降する際に、タラップ４の下端部が支持台３の主面部３ａから滑り落ちることを防ぐことができる。
【００４４】
また、タラップ４のフック部材３７を支持アーム５のフック受け部２５に引っ掛けると共に、係合部３６の第１係合片３６ａと第２係合片３６ｂによってドアシル１０３の上面部と下面部を挟持している。これにより、タラップ４は、係合部３６と、支持台３と、フック部材３７の３箇所で保持されるため、作業者がタラップ４を昇降する際に、タラップ４の上端部がドアシル１０３から離反する方向に回動することを防ぐことができる。
【００４５】
なお、支持台３を折り畳む場合は、タラップ４を支持台３から外す。これにより、支持台３は、戻し機構２４に付勢されて自動的に図１に示す収容状態に戻る。
【００４６】
本例のピット入出装置１によれば、ピット入出装置１を使用しない状態では、支持台３は、壁面１０１ａと対向し、下部機器１２１と干渉しない位置に収容されている。そのため、昇降方向の深さが浅いピット部１０１に対しても本例のピット入出装置１を設置することができる。
【００４７】
さらに、ピット部１０１の深さに拘らずに支持台３を設置することができるため、ピット部１０１の深さに拘らずにドアシル１０３から支持台３の間隔を一定に保つことができる。すなわち、支持台３とドアシル１０３に立て掛けられるタラップ４が展開した状態の長さを、ピット部１０１の深さに拘らずに統一することができる。その結果、タラップ４を取扱いやすい長さ、及び重さに統一することが可能となる。
【００４８】
上述したように、支持台３は、戻し機構２４を介して、壁面１０１ａに接近する方向、すなわち支持台３が収容される方向に付勢されている。さらに、収容状態での支持台３の主面部３ａにおける載置面と反対側の面は、支持アーム５に引っ掛けられたタラップ４の第１部材３１に当接している。すなわち、支持台３は、壁面１０１ａとタラップ４の間に配置されて、タラップ４によって壁面１０１ａから離反する方向への回動が抑えられている。
【００４９】
そのため、支持台３を図１に示す収容状態から図５に示す展開状態へ、展開させるためには、上述したように、戻し機構２４の付勢力に抗して、作業者がタラップ４を操作しなければならない。これにより、ピット入出装置１を使用しない状態では、支持台３が意図に反して回動することを防ぐことができ、支持台３と下部機器１２１が接触することを防ぐことができる。
【００５０】
なお、本発明は上述しかつ図面に示した実施の形態に限定されるものではなく、特許請求の範囲に記載した発明の要旨を逸脱しない範囲内で種々の変形実施が可能である。
【００５１】
上述した実施の形態例では、展開した支持台３を支えるために、一対の支持アーム５、５を設けた例を説明したが、これに限定されるものではない。タラップ４及び支持台３に加わる荷重が小さい場合、一対の支持アーム５、５を設けなくてもよい。この場合、支持台３を展開状態から収容状態へ付勢する戻し機構２４は、主回動軸１６に設置される。さらに、支持アーム５を設ける場合でも、戻し機構２４を主回動軸１６に設けてもよい。
【００５２】
なお、支持台３を展開状態から収容状態へ戻す戻し機構２４を設けなくてもよい。この場合、作業者によって展開状態から収容状態へ支持台を戻してもよく、あるいはタラップを操作することで、展開状態から収容状態へ支持台を戻してもよい。
【００５３】
また、上述した実施の形態例では、タラップ４として、第１部材３１と第２部材３２を、回動軸３４を介して連結させて折り畳み可能な例を説明したが、これに限定されるものではない。タラップとしては、例えば、長手方向に伸縮可能に構成してもよい、あるいは長手方向の長さが変化しないタラップを用いてもよい。
【符号の説明】
【００５４】
１…ピット入出装置、  ２…枠体、  ３…支持台、  ３ａ…主面部、  ３ｂ…縁部、  ４…タラップ、  ５…支持アーム、  １１…縦板、  １１ａ…軸受け片、  １２…支え板、  １５…第１支持軸、  １６…主回動軸、  １８…第２支持軸、  ２１…第１アーム部、  ２２…第２アーム部、  ２３…アーム回動軸、  ２４…戻し機構、  ２５…フック受け部、  ３１…第１部材、  ３２…第２部材、  ３３…踏み板、  ３４…回動軸、  ３６…係合部、  ３６ａ…第１係合片、  ３６ｂ…第２係合片、  ３７…フック部材、  ３８…第１縦枠、  ３９…第２縦枠、  １０１…ピット部、  １０１ａ…壁面、  １０３…ドアシル、１２０…乗りかご、  １２１…下部機器
【図１】
2017105603.tif 000003
【図２】
2017105603.tif 000004
【図３】
2017105603.tif 000005
【図４】
2017105603.tif 000006
【図５】
2017105603.tif 000007
【図６】
2017105603.tif 000008
【図７】
2017105603.tif 000009